(57)【要約】【課題】ワイヤーハーネスを容易に取り外すことが可能なバンドクリップを提供する。【解決手段】クリップ本体１１に、バンド２０の挿通孔１２と直交する方向の断面Ｔ形の連結溝１３を設け、その連結溝１３にアンカー側部材３０のＴ形頭部３５を挿入する。Ｔ形頭部３５の頂面にバンド２０のロック歯２２と噛合するロック爪３６を設けて、アンカー側部材３０を抜いたとき、バンド２０のロックが外れるようにした。【選択図】図１
2011103714.tif 000002
【特許請求の範囲】
【請求項１】
ワイヤーハーネスの外周に巻回される可撓性を有した帯板状のバンドと、該バンドの基端に設けられ、ワイヤーハーネスに巻回するためにループ状に丸めた前記バンドの先端側を該バンドの長さ方向の任意の位置で係止するクリップ本体と、該クリップ本体に設けられ、固定対象のパネルの取付孔に差し込み係止されるアンカー突起と、を備えたワイヤーハーネス固定用のバンドクリップにおいて、
前記クリップ本体の少なくとも一部と前記バンドを一体に有するバンド側部材と、前記アンカー突起を有し、前記バンド側部材に着脱自在に結合されるアンカー側部材との２部品により構成され、
しかも、前記バンド側部材に対して前記アンカー側部材が結合されているとき、前記クリップ本体が前記バンドを係止可能となり、前記バンド側部材から前記アンカー側部材が離脱されたとき、前記クリップ本体が前記バンドの係止を解放するように構成されていることを特徴とするワイヤーハーネス固定用のバンドクリップ。
【請求項２】
前記クリップ本体の全体が前記バンド側部材に設けられると共に、該クリップ本体に、前記バンドの先端側を挿通させるスロット状の挿通孔と、前記アンカー側部材を着脱自在に装着する連結溝とが設けられ、
前記挿通孔に挿通された前記バンドの長手方向をＸ方向、該Ｘ方向と直交し前記挿通孔に挿通された前記バンドの幅方向をＹ方向、前記Ｘ方向およびＹ方向と直交する、前記挿通孔に挿通された前記バンドの厚み方向をＺ方向とした場合、
前記挿通孔は、前記クリップ本体のＸ方向の一端面から他端面まで直線的に貫通形成され、
前記連結溝は、前記挿通孔と直交するＹ方向の一端面に設けられた入口から他端面に向けて形成され、
該連結溝は、Ｚ方向の上縁が前記挿通孔の下縁に連通する幅広溝部と、該幅広溝部の下側に連続した幅狭溝部とを有する断面Ｔ形の溝として形成され、且つ、前記幅狭溝部は、前記クリップ本体のＺ方向の下壁に設けられたＹ方向に延びるスリットとして形成され、
一方、前記アンカー側部材には、Ｚ方向の下端側に前記アンカー突起が設けられると共に、そのアンカー突起のＺ方向の上端部に、前記断面Ｔ形の連結溝に対して前記入口からスライド自在に挿脱される断面Ｔ形のＴ形頭部が設けられ、
そのＴ形頭部の頂面に、該Ｔ形頭部が前記連結溝に挿入された状態で前記バンドの先端側が前記挿通孔に挿通されたとき、該バンドの板面に形成されたロック歯と係合するロック爪が形成されていることを特徴とする請求項１に記載したワイヤーハーネス固定用のバンドクリップ。
【請求項３】
前記アンカー側部材のＴ形頭部が、前記クリップ本体から離脱したときに、前記パネルの取付孔の中に落ち込み可能な大きさに形成されていることを特徴とする請求項２に記載したワイヤーハーネス固定用のバンドクリップ。
【請求項４】
前記挿通孔に挿通される前記バンドの幅方向の両側縁のうち、前記連結溝の入口と反対側の側縁に、前記ロック爪の側面に当たることで、前記バンドとロック爪との位置決めを行う位置決め壁が設けられていることを特徴とする請求項２または３に記載したワイヤーハーネス固定用のバンドクリップ。
【請求項５】
前記クリップ本体に、前記バンドの先端側を挿通させるスロット状の挿通孔が設けられると共に、該挿通孔の内部に、前記バンドの板面に形成されたロック歯と係合するロック爪が形成され、
前記クリップ本体が、前記バンド側部材に一体に設けられた第１半体と、前記アンカー側部材に一体に設けられた第２半体とに２分割されており、
前記第１半体と第２半体は互いに結合及び離脱可能とされ、前記第１半体と第２半体を互いに結合させたときに、前記挿通孔が閉じた形で形成されることで、前記ロック爪とロック歯との係合が可能な状態となり、前記第１半体と第２半体を互いに離脱させたときに、前記挿通孔が開放されることで、前記ロック爪とロック歯との係合が解除されることを特徴とする請求項１に記載したワイヤーハーネス固定用のバンドクリップ。
【発明の詳細な説明】
【技術分野】
【０００１】
本発明は、ワイヤーハーネスを車体に固定するためのバンドクリップに関するものである。
【背景技術】
【０００２】
図９〜図１２は特許文献１に記載された従来のワイヤーハーネス固定用のバンドクリップの構成を示す。このバンドクリップ１００は、自動車に配索されるワイヤハーネスに取り付けられる結束バンド１１０と、該結束バンド１１０に脱着可能に係止される係止クリップ１２０との２つの樹脂成形部品よりなる。
【０００３】
結束バンド１１０は、可撓性を有した帯板状のバンド１１１と、バンド１１１の基端に設けられたバンド係合部１１２と、バンド係合部１１２の上面に設けられた矢羽根状の可撓性ロック枠１１３と、その近傍に設けられた位置決め突片１１４とを有している。バンド係合部１１２は、バンド１１１の先端側を挿入する挿入孔１１２Ａを有しており、その挿入孔１１２Ａの内部には、挿入されたバンド１１１を抜け止め係止する係止部（図示略）が設けられている。
【０００４】
一方、係止クリップ１２０は、クリップ本体１２１の一方の面側に、図示しない車体パネルの取付孔に挿入係止されるアンカー突起１２２を備えると共に、他方の面側に、結束バンド１２０の位置決め突片１１４が横方向（取付対象のパネルに平行な方向）からスライド嵌合される嵌合凹部１２３と、位置決め突片１１４がスライド嵌合された際に可撓性ロック枠１１３と係合するロック部（図示略）とを備えている。また、可撓性ロック枠１１３の一端には、結束バンド１１０と係止クリップ１２０が係合している状態で、外部に露出するように解除操作用の操作片１１３Ａが設けられている。
【０００５】
このワイヤーハーネス固定具１００を使用してワイヤーハーネスを車体パネルに固定する場合は、まず、結束バンド１１０のバンド１１１をワイヤーハーネスＷの外周に巻き付け、バンド１１１の先端側をバンド係合部１１２の挿入孔１１２Ａに挿入して抜け止めし、それにより、結束バンド１１０をワイヤーハーネスＷに固定する。次に、結束バンド１１０の位置決め突片１１４を、係止クリップ１２０の嵌合凹部１２３にスライド嵌合させ、可撓性ロック枠１１３をロック部（図示略）にロックさせる。そして、係止クリップ１２０のアンカー突起１２２を車体パネルＰの取付孔ＰＡに挿入して係止させることで、ワイヤーハーネスＷを車体パネルＰに取り付けることができる。
【０００６】
また、ワイヤーハーネスＷを車体パネル２から取り外す場合は、図１１に示すように、操作片１１３Ａを指で摘むなどして、可撓性ロック枠１１３を内側に撓ませて、図示略のロック部に対するロックを解除しながら、位置決め突片１１４を横方向にスライドさせて、係止クリップ１２０の嵌合凹部１２３から引き抜く。そうすることにより、係止クリップ１２０から結束バンド１１０を分離することができ、ワイヤーハーネスＷを車体パネルＰから取り外すことができる。
【先行技術文献】
【特許文献】
【０００７】
【特許文献１】特開２００５−３１８７６７号公報
【発明の概要】
【発明が解決しようとする課題】
【０００８】
ところで、上述した従来のバンドクリップ１００を用いてワイヤーハーネスＷを車体パネルＰに固定した場合、結束バンド１１０を係止クリップ１２０から分離させてワイヤーハーネスＷを車体パネルＰから取り外した段階で、結束バンド１１０がそのままワイヤーハーネスＷ上に残ってしまうことになるため、ワイヤーハーネスＷとバンドクリップ１００との完全な分離ができないという問題があった。
【０００９】
本発明は、上述した事情に鑑みてなされたものであり、その目的は、車体パネルにワイヤーハーネスを固定した後にワイヤーハーネスを取り外す必要が生じたときにも、ワイヤーハーネス上から容易に且つ完全に取り外すことができるバンドクリップを提供することにある。
【課題を解決するための手段】
【００１０】
前述した目的を達成するために、本発明に係るバンドクリップは、下記（１）〜（５）を特徴としている。
（１）  ワイヤーハーネスの外周に巻回される可撓性を有した帯板状のバンドと、該バンドの基端に設けられ、ワイヤーハーネスに巻回するためにループ状に丸めた前記バンドの先端側を該バンドの長さ方向の任意の位置で係止するクリップ本体と、該クリップ本体に設けられ、固定対象のパネルの取付孔に差し込み係止されるアンカー突起と、を備えたワイヤーハーネス固定用のバンドクリップにおいて、
前記クリップ本体の少なくとも一部と前記バンドを一体に有するバンド側部材と、前記アンカー突起を有し、前記バンド側部材に着脱自在に結合されるアンカー側部材との２部品により構成され、
しかも、前記バンド側部材に対して前記アンカー側部材が結合されているとき、前記クリップ本体が前記バンドを係止可能となり、前記バンド側部材から前記アンカー側部材が離脱されたとき、前記クリップ本体が前記バンドの係止を解放するように構成されていること。
（２）  上記（１）の構成のバンドクリップにおいて、
前記クリップ本体の全体が前記バンド側部材に設けられると共に、該クリップ本体に、前記バンドの先端側を挿通させるスロット状の挿通孔と、前記アンカー側部材を着脱自在に装着する連結溝とが設けられ、
前記挿通孔に挿通された前記バンドの長手方向をＸ方向、該Ｘ方向と直交し前記挿通孔に挿通された前記バンドの幅方向をＹ方向、前記Ｘ方向およびＹ方向と直交する、前記挿通孔に挿通された前記バンドの厚み方向をＺ方向とした場合、
前記挿通孔は、前記クリップ本体のＸ方向の一端面から他端面まで直線的に貫通形成され、
前記連結溝は、前記挿通孔と直交するＹ方向の一端面に設けられた入口から他端面に向けて形成され、
該連結溝は、Ｚ方向の上縁が前記挿通孔の下縁に連通する幅広溝部と、該幅広溝部の下側に連続した幅狭溝部とを有する断面Ｔ形の溝として形成され、且つ、前記幅狭溝部は、前記クリップ本体のＺ方向の下壁に設けられたＹ方向に延びるスリットとして形成され、
一方、前記アンカー側部材には、Ｚ方向の下端側に前記アンカー突起が設けられると共に、そのアンカー突起のＺ方向の上端部に、前記断面Ｔ形の連結溝に対して前記入口からスライド自在に挿脱される断面Ｔ形のＴ形頭部が設けられ、
そのＴ形頭部の頂面に、該Ｔ形頭部が前記連結溝に挿入された状態で前記バンドの先端側が前記挿通孔に挿通されたとき、該バンドの板面に形成されたロック歯と係合するロック爪が形成されていること。
（３）  上記（２）の構成のバンドクリップにおいて、
前記アンカー側部材のＴ形頭部が、前記クリップ本体から離脱したときに、前記パネルの取付孔の中に落ち込み可能な大きさに形成されていること。
（４）  上記（２）または（３）の構成のバンドクリップにおいて、
前記挿通孔に挿通される前記バンドの幅方向の両側縁のうち、前記連結溝の入口と反対側の側縁に、前記ロック爪の側面に当たることで、前記バンドとロック爪との位置決めを行う位置決め壁が設けられていること。
（５）  上記（１）の構成のバンドクリップにおいて、
前記クリップ本体に、前記バンドの先端側を挿通させるスロット状の挿通孔が設けられると共に、該挿通孔の内部に、前記バンドの板面に形成されたロック歯と係合するロック爪が形成され、
前記クリップ本体が、前記バンド側部材に一体に設けられた第１半体と、前記アンカー側部材に一体に設けられた第２半体とに２分割されており、
前記第１半体と第２半体は互いに結合及び離脱可能とされ、前記第１半体と第２半体を互いに結合させたときに、前記挿通孔が閉じた形で形成されることで、前記ロック爪とロック歯との係合が可能な状態となり、前記第１半体と第２半体を互いに離脱させたときに、前記挿通孔が開放されることで、前記ロック爪とロック歯との係合が解除されること。
【００１１】
上記（１）の構成のバンドクリップによれば、バンド側部材とアンカー側部材を結合し、その状態でワイヤーハーネスにバンドを巻き付けてそのバンドの先端側をクリップ本体に係合させることにより、バンドを締め付け状態でワイヤーハーネスに固定することができる。そして、アンカー側部材のアンカー突起をパネルの取付孔に差し込んで係止させることにより、バンドクリップを介してワイヤーハーネスをパネルに固定することができる。
また、ワイヤーハーネスの取り外しの必要が生じた場合は、バンド側部材とアンカー側部材を互いに離脱させる。そうすると、バンド側部材がパネルから外れると共に、自動的にバンドの係止が解除されて、バンド側部材がワイヤーハーネスから外れる。従って、ワイヤーハーネスにバンドが残るようなことがなく、容易に且つ完全にバンドクリップをワイヤーハーネスから取り外すことができる。
上記（２）の構成のバンドクリップによれば、アンカー側部材のＴ形頭部をクリップ本体の断面Ｔ形の連結溝に挿入することで、バンド側部材とアンカー側部材を一体に組み立てることができ、その状態でワイヤーハーネスにバンドを巻き付けてそのバンドの先端側を挿通孔に挿通させることにより、バンドのロック歯とＴ形頭部の頂面のロック爪との係合により、バンドを締め付け状態で抜け止めロックすることができる。そして、クリップ本体から外部に突き出したアンカー部材のアンカー突起をパネルの取付孔に差し込んで係止させることにより、バンドクリップを介してワイヤーハーネスをパネルに固定することができる。
また、ワイヤーハーネスの取り外しの必要が生じた場合は、ワイヤーハーネスを、アンカー部材のＴ形頭部のクリップ本体への挿入方向と反対方向（ワイヤーハーネスの配索方向の一方側）に引き移動する。そうすると、クリップ本体はワイヤーハーネスと一緒に引き移動され、アンカー部材はパネルに拘束されているので、アンカー部材がクリップ本体の連結溝から抜ける。アンカー部材がクリップ本体の連結溝から抜けると、バンドを係止している相手であるロック爪がクリップ本体から無くなるので、バンドは自由に挿通孔から抜けるようになり、結束バンドがワイヤーハーネスから外れる。
このように、ワイヤーハーネスをその配索方向の一方側に引き出すという容易な操作を行うだけで、指を狭い場所に入れたり、バンドを切断したりせずに、簡単にワイヤーハーネスを車体パネルから取り外すことができると共に、ワイヤーハーネスから完全にバンドクリップを取り外すことができるようになる。
上記（３）の構成のバンドクリップによれば、クリップ本体から抜けたアンカー部材を自動的にパネルから脱落させることができるので、より材料の分別を確実なものとすることができて、リサイクル率の向上が図れる。
上記（４）の構成のバンドクリップによれば、バンドのロック歯とＴ形頭部のロック爪の係合をより確実なものにすることができる。
上記（５）の構成のバンドクリップによれば、バンド側部材とアンカー側部材とを互いに離脱させることにより、自動的にバンドの係止を解除することができ、バンド側部材をワイヤーハーネスから完全に取り外すことができる。従って、ワイヤーハーネスにバンドが残るようなことがなく、容易に且つ完全にバンドクリップをワイヤーハーネスから取り外すことができる。
【発明の効果】
【００１２】
本発明によれば、アンカー突起が設けられている部材（即ち、アンカー側部材）とバンドが設けられている部材（即ち、バンド側部材）とを分離することで、自動的にバンドの係止を解除することができ、自由になったバンドを、残らず完全にワイヤーハーネスから容易に取り外すことができる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の第１実施形態のバンドクリップの構成図で、（ａ）は組み立て前の状態を示す斜視図、（ｂ）は組み立て後の状態を示す斜視図である。
【図２】同バンドクリップにおけるアンカー側部材の構成を示す図で、（ａ）は正面図、（ｂ）は側面図である。
【図３】同バンドクリップにおけるバンドの先端の構成を示す図で、（ａ）は側面図、（ｂ）は正面図である。
【図４】同バンドクリップをワイヤーハーネスに取り付けた状態を示す斜視図である。
【図５】同バンドクリップを用いてワイヤーハーネスを車体パネルに固定した状態を示す図であり、（ａ）は全体断面図、（ｂ）は（ａ）のＶｂ部の拡大図、（ｃ）は（ｂ）のＶｃ−Ｖｃ矢視断面図である。
【図６】同バンドクリップを分解するときの作用説明図である。
【図７】同バンドクリップにおけるアンカー側部材のＴ形頭部とパネルの取付孔の寸法関係を示す図である。
【図８】本発明の第２実施形態のバンドクリップの構成図で、（ａ）は組み立て前の状態を示す斜視図、（ｂ）は組み立て後の状態を示す斜視図、（ｃ）は組み立て後のバンドクリップを用いてワイヤーハーネスをパネルに固定した状態を示す正面図である。
【図９】従来のバンドクリップの例を示す斜視図である。
【図１０】同バンドクリップをワイヤーハーネスに取り付けた状態を示す斜視図である。
【図１１】同バンドクリップを用いて車体パネルにワイヤーハーネスを固定した状態から、ワイヤーハーネスを取り外すための操作を行っている状態を示す断面図である。
【図１２】同バンドクリップのアンカー部材から結束バンドを取り外した状態を示す断面図である。
【発明を実施するための形態】
【００１５】
以下、本発明の実施形態を図面を参照して説明する。
《第１実施形態》
図１は第１実施形態のバンドクリップの構成図で、（ａ）は組み立て前の状態を示す斜視図、（ｂ）は組み立て後の状態を示す斜視図、図２はアンカー側部材の構成を示す図で、（ａ）は正面図、（ｂ）は側面図、図３はバンドの先端の構成を示す図で、（ａ）は側面図、（ｂ）は正面図、図４は実施形態のバンドクリップをワイヤーハーネスに取り付けた状態を示す斜視図、図５は同バンドクリップを用いてワイヤーハーネスを車体パネルに固定した状態を示す図であり、（ａ）は全体断面図、（ｂ）は（ａ）のＶｂ部の拡大図、（ｃ）は（ｂ）のＶｃ−Ｖｃ矢視断面図、図６は同バンドクリップを分解するときの作用説明図、図７はアンカー部材のＴ形頭部とパネルの取付孔の寸法関係を示す図である。
【００１６】
図１に示すように、このバンドクリップ１は、それぞれ合成樹脂の一体成形品として形成されたバンド側部材１０とアンカー側部材３０の２部品よりなる。ここでは、バンド側部材１０はワイヤーハーネスに取り付けられるので、ワイヤーハーネス側部材と言うことができ、アンカー側部材３０は車体パネルＰに係止されるので、車体係止部材と言うこともできる。
【００１７】
バンド側部材１０は、ワイヤーハーネスＷ（図４参照）の外周に巻回される可撓性を有した帯板状のバンド２０と、ワイヤーハーネスＷに巻回するためにループ状に丸めたバンド２０の先端側を挿通するスロット状の挿通孔１２を有した直方体箱形のクリップ本体１１と、クリップ本体１１の下面に設けられたスカート状の押圧皿体１８とを備えている。
【００１８】
また、アンカー側部材３０は、クリップ本体１１に形成された連結溝１３に着脱自在に装着されるもので、装着状態でクリップ本体１１の外部に突出して、固定対象のパネルＰの取付孔ＰＡ〔図５（ａ）参照〕に差し込み係止されるアンカー突起３０Ａを有している。また、アンカー側部材３０には、クリップ本体１１に装着したときに、クリップ本体１１の内部に位置して、挿通孔１２に挿通されてきたバンド２０を係止するロック爪３６が設けられている。
【００１９】
ここで、挿通孔１２に挿通されたバンド２０の長手方向をＸ方向、該Ｘ方向と直交し挿通孔１２に挿通されたバンド２０の幅方向をＹ方向、Ｘ方向およびＹ方向と直交する、挿通孔１２に挿通されたバンド２０の厚み方向をＺ方向と定義した場合、挿通孔１２は、クリップ本体１１のＸ方向の一端面から他端面まで直線的に貫通形成されている。なお、１２Ａ〔図５（ｂ）参照〕はバンド２０を挿通孔１２に挿通させる際の挿通孔１２の入口、１２Ｂ〔図１参照）は挿通孔１２の出口である。
【００２０】
また、アンカー側部材３０を装着する連結溝１３は、挿通孔１２と直交するＹ方向の一端面に設けられた入口から他端面に向けて形成され、奥端は行き止まりになっている。この連結溝１３は、Ｚ方向の上縁が挿通孔１２の下縁に連通する幅広溝部１３Ａと、この幅広溝部１３Ａの下側に連続した幅狭溝部１３Ｂとを有する断面Ｔ形の溝として形成されており、幅狭溝部１３Ｂは、クリップ本体１１のＺ方向の下壁に設けられたＹ方向に延びるスリットとして形成されている。
【００２１】
また、クリップ本体１１の下面に設けられた押圧皿体１８は、図５（ａ）に示すように、アンカー突起３０ＡがパネルＰの取付孔ＰＡに係止したときに、パネルＰの表面に押圧接触することで、バンドクリップ１をガタ付きなくパネルＰに固定可能とするものであり、この押圧皿体１８にも、アンカー側部材３０を装着可能とするためのスリット１８Ａが設けられている。
【００２２】
また、アンカー側部材３０には、Ｚ方向の下端側にアンカー突起３０Ａが設けられると共に、そのアンカー突起３０ＡのＺ方向の上端部に、断面Ｔ形の連結溝１３に対して入口からスライド自在に挿脱される断面Ｔ形のＴ形頭部３５が設けられている。図２に示すように、ロック爪３６はこのＴ形頭部の頂面に設けられており、Ｔ形頭部３５が連結溝１３に挿入された状態で、バンド２０の先端側が挿通孔１２に挿通されてきたとき、図５に示すように、バンド２０の板面に形成されたロック歯２２と係合することにより、バンド２０を抜け止め係止できるようになっている。
【００２３】
バンド２０は、図３および図５（ｂ）、（ｃ）に示すように、帯板状のバンド本体２１の片面（ループ状にバンド本体２１を丸めたときに外周側となる面）のバンド先端側の所定領域に、鋸歯状のロック歯２２をバンド長手方向に沿って複数配列したもので、バンド２０の幅方向の両側縁のうち、連結溝１３の入口と反対側の側縁（連結溝１３の奥端側の側縁）に、ロック爪３６の側面に当たることで、バンド２０とロック爪３６との位置決めを行う位置決め壁２３が設けられている。この位置決め壁２３があることにより、バンド２０のロック歯２２とＴ形頭部３５のロック爪３６の係合がより確実なものとなる。
【００２４】
バンド２０のロック歯２２とロック爪３６の関係は、図５（ｃ）に示すようになっている。即ち、断面三角形状のロック爪３６は、連結溝１３に挿入された時点で、挿通孔１２の入口１２Ａ側（図中左側）に傾斜面３６Ａが向き、出口１２Ｂ側（図中右側）に絶壁状の係止壁３６Ｂが向くように設けられている。一方、バンド２０の断面三角形状のロック歯２２は、挿通孔１２に挿入されたときに、挿通孔１２の出口１２Ｂ側（図中右左側）に傾斜面２２Ａが向き、入口１２Ａ側（図中左側）に絶壁状の係止壁２２Ｂが向くように設けられている。これにより、バンド２０が挿通孔１２に挿入されたとき、ロック歯２２とロック爪３６が噛み合うことにより、一方向ロックがかかるようになっている。
【００２５】
また、アンカー突起３０Ａは、パネルＰの取付孔ＰＡに差し込み係止できるように、基端がＴ形頭部３５に連結された支柱３１と、その支柱３１の先端から支柱３１の基端側に向けて斜めに拡がるように一体に延設された一対の弾性係止羽根３２とを具備している。一対の弾性係止羽根３２は、固定対象のパネルＰの取付孔ＰＡに支柱３１の先端側から挿入されたとき、外面が取付孔ＰＡの周縁に摺接することで一旦内側に弾性的に窄まり、自由端側の外面に設けられた係止段部３３が取付孔ＰＡの周縁を通過した段階で外側に弾性復元して、係止段部３３を取付孔ＰＡの裏面側の周縁に係合させ、それにより取付孔ＰＡからの抜けを阻止するようになっている。
【００２６】
また、アンカー側部材のＴ形頭部３５は、クリップ本体１１から離脱したときに、パネルＰの取付孔ＰＡの中に落ち込み可能となるように、図７に示すように、パネルＰの取付孔ＰＡの径Ｈ２よりも最大寸法Ｈ１が小さく形成されている。
【００２７】
次に作用を説明する。
このバンドクリップ１を使用する場合は、図１（ａ）の矢印Ａのように、アンカー側部材３０のＴ形頭部３５を、バンド側部材１０のクリップ本体１１の断面Ｔ形の連結溝１３に挿入する。そうすることで、バンド側部材１０とアンカー側部材３０を一体に組み立てることができる。また、その状態でワイヤーハーネスＷにバンド２０を巻き付けて、図４に示すように、そのバンド２０の先端側を挿通孔１２に挿通させることにより、バンド２０のロック歯２２とＴ形頭部３５の頂面のロック爪３６との係合により、バンド２０を締め付け状態で抜け止めロックすることができる。
【００２８】
そして、クリップ本体１１から外部に突き出したアンカー側部材３０のアンカー突起３０Ａを、図５（ａ）に示すように、パネルＰの取付孔ＰＡに差し込んで係止させることにより、バンドクリップ１を介してワイヤーハーネスＷをパネルＰに固定することができる。
【００２９】
一方、ワイヤーハーネスＷの取り外しの必要が生じた場合は、ワイヤーハーネスＷを、図６に示すように、アンカー側部材３０のＴ形頭部３５のクリップ本体１１への挿入方向と反対方向（ワイヤーハーネスＷの配索方向の一方側）に矢印Ｄのように持ち上げつつ引き移動する。そうすると、アンカー側部材３０の挿脱方向とワイヤーハーネスＷの配索方向Ｅ〔図５（ａ）〕が一致しており、しかも、クリップ本体１１はワイヤーハーネスＷと一緒に引き移動され、アンカー側部材３０はパネルＰに拘束されているので、アンカー側部材３０が図６の矢印Ｆのようにクリップ本体１１の連結溝１３から抜ける。
【００３０】
アンカー側部材３０がクリップ本体１１の連結溝１３から抜けると、バンド２０を係止している相手であるロック爪３６がクリップ本体１１から無くなるので、バンド２０は自由に挿通孔１２から抜けることになり、バンド側部材１０がワイヤーハーネスＷから外れる。
【００３１】
このように、ワイヤーハーネスＷをその配索方向の一方側に引き出すという容易な操作を行うだけで、指を狭い場所に入れたり、バンド２０を切断したりせずに、簡単にワイヤーハーネスＷを車体パネルから取り外すことができると共に、ワイヤーハーネスＷからバンド側部材１０を完全に取り外すことができるようになる。
【００３２】
また、クリップ本体１１から抜けたアンカー側部材３０は、取付孔ＰＡとのサイズの関係で、図７の矢印Ｇで示すように、自動的にパネルＰの取付孔ＰＡから脱落させることができる。従って、より材料の分別を確実なものとすることができて、リサイクル率の向上が図れる。
【００３３】
《第２実施形態》
図８は本発明の第２実施形態のバンドクリップの構成図で、（ａ）は組み立て前の状態を示す斜視図、（ｂ）は組み立て後の状態を示す斜視図、（ｃ）は組み立て後のバンドクリップを用いてワイヤーハーネスをパネルに固定した状態を示す正面図である。
【００３４】
図８（ｂ）に示すように、このバンドクリップ２は、ワイヤーハーネスＷの外周に巻回される可撓性を有した帯板状のバンド７１と、このバンド７１の基端７１Ａに設けられ、ワイヤーハーネスＷに巻回するためにループ状に丸めたバンド７１の先端７１Ｂ側をバンド７１の長さ方向の任意の位置で係止するクリップ本体６０と、クリップ本体６１に突設され、固定対象のパネルＰの取付孔ＰＡに差し込み係止されるアンカー突起８０Ａとを有しており、それぞれ合成樹脂の一体成形品として形成されたバンド側部材７０とアンカー側部材８０との２部品の組み合わせ品として構成されている。ここでは、バンド側部材７０はワイヤーハーネスに取り付けられるので、ワイヤーハーネス側部材と言うことができる。また、アンカー側部材８０は車体パネルＰに係止されるので、車体係止部材と言うことができる。
【００３５】
クリップ本体６０には、バンド７１の先端側を挿通させるスロット状の挿通孔６２が設けられると共に、挿通孔６２の内部に、バンド７１の板面に形成されたロック歯７２と係合するロック爪６６が形成されており、このクリップ本体６０は、バンド側部材７０に一体に設けられた第１半体６１と、アンカー側部材８０に一体に設けられた第２半体８１とに２分割されている。従って、バンド側部材７０は、バンド７１と、クリップ本体６０の上半分を構成する第１半体６１とを一体に有している。また、アンカー側部材８０は、アンカー突起８０Ａと、クリップ本体６０の下半分を構成する第２半体８１とを一体に有している。
【００３６】
第１半体６１と第２半体８１は、互いに組み合わせたときに、スロット状の挿通孔６２を有したクリップ本体６０を構成することができるようになっており、バンド側部材７０に設けられた第１半体６１は、矩形の上板６１Ａと、該上板６１Ａの左右両側縁から下向きに垂設された両側板６１Ｂと、該両側板６１Ｂの各下端に外側に突き出すように設けられた左右一対のスライド板６１Ｃとを有する断面略Ω字形に形成されている。また、アンカー側部材８０に設けられた第２半体８１は、矩形の下板８１Ａと、該下板８１Ａの左右両側縁から上向きに垂設された両側板８１Ｂと、両側板８１Ｂの各上端に内側に突き出すように設けられた左右一対の上板８１Ｃと、を有する断面略Ｃ字形に形成されている。
【００３７】
第２半体１の左右の上板８１Ｃの対向縁間には、両側板８１Ｂの間の幅広溝８２Ａよりも幅の狭い幅狭溝８２Ｂが形成されている。そして、幅広溝８２Ａ及び幅狭溝８２Ｂにより、第１半体６１がスライド自在に装着されるスライド溝８２が構成されており、そのスライド溝８２の幅広溝８２Ａの両端に第１半体６１の左右のスライド板６１Ｃがスライドし、そのスライド溝８２の幅狭溝８２Ｂに第１半体６１の両側板６１Ｂがスライドするようになっている。そして、互いスライドさせて第１半体６１と第２半体８１を組み合わせたときに、スロット状の挿通孔６２が形成される。
【００３８】
バンド７１は、その基端７１Ａが上板６１Ａの外面に連結されることで、第１半体６１と一体に設けられている。また、アンカー突起８０Ａは、その基端が下板８１Ａの下面に連結されることで、第２半体８１と一体に設けられている。また、第１半体６１の上壁６１Ａの内面に、バンド７１の板面に配列されたロック歯７２の列の任意のロック歯７２と係合可能なロック爪６６が設けられている。
【００３９】
また、アンカー側部材８０の第２半体８１のスライド溝８２の奥端には、スライドして来た第１半体６１が当たることで、第１半体６１を位置決めするストッパ壁８４が設けられている。また、第２半体８１のスライド溝８２の内壁を構成する左右の上板８１Ｃの内面には、第１半体６１のスライド板６１Ｃの上面のロック部３と係合することで、第１半体６１をロックするロック部８５が設けられている。なお、この場合の第１半体６１と第２半体８１のスライド方向（挿脱方向）は、ワイヤーハーネスＷの延在方向と平行な面内で且つワイヤーハーネスＷの延在方向と直交する方向に設定されている。
【００４０】
次に作用を説明する。
このバンドクリップ２を使用する場合は、図８（ａ）中の矢印のように、アンカー側部材８０の第２半体８１をバンド側部材７０の第１半体６１にスライドさせて組み付ける。ストッパ壁８４に当たるまでスライドさせると、アンカー側部材８０のロック部８５とバンド側部材７０のロック部６３が係合して、第１半体６１と第２半体８１が互いにロックし、第１半体６１と第２半体８１の間にスロット状の挿通孔６２が形成される。そこで、その挿通孔６２に、図８（ｂ）に示すように、ワイヤーハーネスＷに巻き付けたバンド７１の先端７１Ｂ側を挿通させる。そうすると、ロック爪６６がバンド７１の任意の位置のロック歯７２に係合し、バンド７１が締め付け状態で抜け止めロックされる。
【００４１】
そして、第２半体８１に突設されたアンカー突起８０Ａを、図８（ｃ）に示すように、パネルＰの取付孔ＰＡに差し込んで係止させることにより、バンドクリップ２を介してワイヤーハーネスＷをパネルＰに固定することができる。
【００４２】
一方、ワイヤーハーネスＷの取り外しの必要が生じた場合は、ワイヤーハーネスＷを横方向に強く引き移動する。そうすると、第２半体８１に対する第１半体６１のロックが外れ、第１半体６１が第２半体８１から離脱する。そうすると、クリップ本体６０の挿通孔６２が開放されることにより、ロック爪６６によるロック歯７２に対する係合が外れ、自動的にワイヤーハーネスＷからバンド７１が外れる。
【００４３】
このように、ワイヤーハーネスＷを横方向に引き移動するという容易な操作を行うだけで、指を狭い場所に入れたり、バンド７１を切断したりせずに、簡単にワイヤーハーネスＷを車体パネルから取り外すことができると共に、ワイヤーハーネスＷからバンド側部材７０を完全に取り外すことができるようになる。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４５】
１  バンドクリップ
１０  バンド側部材
１１  クリップ本体
１２  挿通孔
１３  連結溝
１３Ａ  幅広溝部
１３Ｂ  幅狭溝部
２０  バンド
２２  ロック歯
３０  アンカー側部材
３０Ａ  アンカー突起
３５  Ｔ形頭部
３６  ロック爪
６０  クリップ本体
６１  第１半体
６２  挿通孔
６６  ロック爪
７０  バンド側部材
７１  バンド
７１Ａ  基端
７１Ｂ  先端
７２  ロック歯
８０  アンカー側部材
８０Ａ  アンカー突起
８１  第２半体
８５  ロック部
Ｐ  パネル
ＰＡ  取付孔
Ｗ  ワイヤーハーネス
【図１】
2011103714.tif 000003
【図２】
2011103714.tif 000004
【図３】
2011103714.tif 000005
【図４】
2011103714.tif 000006
【図５】
2011103714.tif 000007
【図６】
2011103714.tif 000008
【図７】
2011103714.tif 000009
【図８】
2011103714.tif 000010
【図９】
2011103714.tif 000011
【図１０】
2011103714.tif 000012
【図１１】
2011103714.tif 000013
【図１２】
2011103714.tif 000014